(57)【特許請求の範囲】
【請求項１】
クライアント端末と通信媒体を介して接続可能とされ、点検で検出された点検対象部品の損傷箇所の補修の承認を、前記クライアント端末を利用するクライアントから得るために用いられる点検補修支援装置であって、
入力手段と、
前記点検で検出された点検対象部品における損傷箇所の位置情報および損傷に関する情報ならびに識別情報が関連付けられた点検補修データが格納されている第１記憶手段と、
前記入力手段から識別情報が入力された場合に、該識別情報に対応付けられた前記点検補修データを前記第１記憶手段から取得するとともに、取得した前記点検補修データに含まれる各前記損傷箇所の補修措置方針を取得する処理手段と、
前記処理手段によって取得された前記点検補修データおよび前記補修措置方針を用いて、各前記損傷箇所とその補修措置方針とを関連付けて表示する第１表示情報を作成する表示情報作成手段と、
補修の承認を得るために、前記第１表示情報を前記クライアント端末に送信する送信手段と
を具備する点検補修支援装置。
【請求項２】
前記点検対象部品のモデルが格納されている第２記憶手段を有し、
前記表示情報作成手段は、前記第２記憶手段に格納されている前記点検対象部品のモデルを読み出し、読み出した前記点検対象部品のモデル上に前記損傷箇所を表示させた損傷視覚化モデルを作成し、
前記第１表示情報には該損傷視覚化モデルが含まれる請求項１に記載の点検補修支援装置。
【請求項３】
前記損傷箇所の位置情報と損傷に関する情報と補修措置方針とが関連付けられた補修基準データが格納されている第３記憶手段を有し、
前記処理手段は、前記第３記憶手段から前記損傷箇所の位置情報および損傷に関する情報に対応する補修措置方針を取得する請求項１または請求項２に記載の点検補修支援装置。
【請求項４】
前記損傷箇所の位置情報と損傷に関する情報とを関連付けて表示する表示手段を備え、
前記処理手段は、前記入力手段から前記表示手段に表示された該損傷箇所に対する補修措置方針が入力された場合に、前記入力手段から入力された補修措置方針を取得する請求項１または請求項２に記載の点検補修支援装置。
【請求項５】
前記点検補修データに関連付けて過去に実施された補修措置の実績データが格納されている第４記憶手段と、
前記補修措置の実績データに基づいて、前記第３記憶手段に格納されている補修基準データを修正する修正手段と
を具備する請求項３に記載の点検補修支援装置。
【請求項６】
前記第４記憶手段に格納されている補修措置の実績データを表示する表示手段を備える請求項５に記載の点検補修支援装置。
【請求項７】
前記修正手段による修正前後の補修基準データを関連付けて表示する表示手段を備え、
前記入力手段から前記表示手段に表示された修正後の補修基準データの修正情報が入力された場合に、入力された修正情報に基づいて前記補修基準データを修正する請求項５に記載の点検補修支援装置。
【請求項８】
前記第１表示情報を受信した前記クライアント端末から補修の承認情報を受信する受信手段と、
前記補修の承認情報を受信した場合に、その旨を表示する表示手段を備える請求項１に記載の点検補修支援装置。
【請求項９】
点検で検出された点検対象部品の損傷箇所の補修の承認を、クライアント端末を利用するクライアントから得るために用いられる点検補修支援方法であって、
前記点検で検出された点検対象部品における損傷箇所の位置情報および損傷に関する情報ならびに識別情報が関連付けられた点検補修データを記憶する過程と、
識別情報が入力された場合に、該識別情報に対応付けられた前記点検補修データを表示する過程と、
表示された各前記損傷箇所に対応する補修措置方針を取得する過程と、
前記損傷箇所と該損傷箇所に対応する補修措置方針とを関連付けて表示する過程と、
表示した情報に対して送信指示が入力された場合に、補修の承認を得るために、前記損傷箇所と前記補修措置方針とを対応付けた情報を前記クライアント端末に送信する過程と
を含む点検補修支援方法。
【発明の詳細な説明】
【技術分野】
【０００１】
本発明は、点検補修支援装置および点検補修支援方法に関するものである。
【背景技術】
【０００２】
ガスタービンの高温部品（例えば、燃焼器、動翼、静翼など）には、き裂、コーティング剥離などの損傷が発生するため、定期的に点検および補修が行われている。点検補修においては、検査対象である高温部品を客先から点検補修工場に一旦引き取り、点検補修工場において傷や欠陥などの点検が行われる。
例えば、特許文献１には、ガスタービンの高温部品の保守管理に関し、管理対象部品に生じた亀裂などの損傷箇所をデータ化して管理する装置が開示されている。具体的には、特許文献１には、管理対象部品の三次元モデルデータが表示された表示画面上において、損傷の位置や範囲をポインティングデバイスにより入力し、入力した損傷の位置及び範囲を管理対象部品の損傷データとして三次元モデルと関連づけて保存することが開示されている。
【先行技術文献】
【特許文献】
【０００３】
【特許文献１】特開２００９−１０８８４９号公報
【発明の概要】
【発明が解決しようとする課題】
【０００４】
ところで、上述した損傷部位の補修作業などは、点検補修工場側にて一方的な判断で行われるものではなく、ガスタービンの所有者であるユーザ側へ損傷部位の通知を行い、補修作業着手の承認を得た上で、実施する必要がある。
【０００５】
本発明は、このような事情に鑑みてなされたものであって、点検対象部品の点検補修に関する情報をクライアント側に速やかに提示することのできる点検補修支援装置およびその方法を提供することを目的とする。
【課題を解決するための手段】
【０００６】
上記課題を解決するために、本発明は以下の手段を採用する。
本発明は、クライアント端末と通信媒体を介して接続可能とされ、点検で検出された点検対象部品の損傷箇所の補修の承認を、前記クライアント端末を利用するクライアントから得るために用いられる点検補修支援装置であって、入力手段と、前記点検で検出された点検対象部品における損傷箇所の位置情報および損傷に関する情報ならびに識別情報が関連付けられた点検補修データが格納されている第１記憶手段と、前記入力手段から識別情報が入力された場合に、該識別情報に対応付けられた前記点検補修データを前記第１記憶手段から取得するとともに、取得した前記点検補修データに含まれる各前記損傷箇所の補修措置方針を取得する処理手段と、前記処理手段によって取得された前記点検補修データおよび前記補修措置方針を用いて、各前記損傷箇所とその補修措置方針とを関連付けて表示する第１表示情報を作成する表示情報作成手段と、補修の承認を得るために、前記第１表示情報を前記クライアント端末に送信する送信手段とを具備する点検補修支援装置を提供する。
【０００７】
本発明によれば、第１記憶手段には、点検対象部品における損傷箇所の位置情報、損傷に関する情報、および識別情報が関連付けられた点検補修データが格納されている。入力手段から識別情報が入力されると、処理手段により、該識別情報に対応付けられた点検補修データが第１記憶手段から取得されるとともに、該点検補修データに含まれる損傷箇所の補修措置方針が取得される。処理手段によって取得された点検補修データおよび補修措置方針を用いて、各損傷箇所とその補修措置方針とを関連付けて表示する第１表示情報が表示情報作成手段により作成され、この第１表示情報が送信手段によりクライアント端末に送信される。
【０００８】
上記点検補修支援装置は、前記点検対象部品のモデルが格納されている第２記憶手段を有し、前記表示情報作成手段は、前記第２記憶手段に格納されている前記点検対象部品のモデルを読み出し、読み出した前記点検対象部品のモデル上に前記損傷箇所を表示させた損傷視覚化モデルを作成し、前記第１表示情報には該損傷視覚化モデルが含まれることとしてもよい。
【０００９】
第２記憶手段には、点検対象部品のモデルが格納されている。第２記憶手段に格納されている点検対象部品のモデルが表示情報作成手段により読み出され、読み出された点検対象部品のモデル上に損傷箇所を表示させた損傷視覚化モデルが作成される。第１表示情報に、損傷視覚化モデルを含めることで、損傷箇所を分かりやすくクライアントに提示することが可能となる。これにより、補修作業に必要な情報を分かりやすくクライアント側に通知することができる。
【００１０】
上記点検補修支援装置は、前記損傷箇所の位置情報と損傷に関する情報と補修措置方針とが関連付けられた補修基準データが格納されている第３記憶手段を有し、前記処理手段は、前記第３記憶手段から前記損傷箇所の位置情報および損傷に関する情報に対応する補修措置方針を取得することとしてもよい。
【００１１】
第３記憶手段には、損傷箇所の位置情報と損傷に関する情報と補修措置方針とが関連付けられた補修基準データが格納されている。入力手段から識別情報が入力された場合において、処理手段は、該識別情報に対応付けられた点検補修データを第１記憶手段から取得し、該点検補修データに含まれる損傷箇所の位置情報および損傷に関する情報に対応する補修措置方針を第３記憶手段から取得する。
【００１２】
上記点検補修支援装置は、前記損傷箇所の位置情報と損傷に関する情報とを関連付けて表示する表示手段を備え、前記処理手段は、前記入力手段から前記表示手段に表示された該損傷箇所に対する補修措置方針が入力された場合に、前記入力手段から入力された補修措置方針を取得することとしてもよい。
【００１３】
このような構成によれば、入力手段から識別情報が入力されると、処理手段により、該識別情報に対応付けられた点検補修データが第１記憶手段から取得され、この点検補修データに登録されている損傷箇所の位置情報と損傷に関する情報とが関連付けられて表示手段に表示される。そして、この表示手段を確認したユーザにより、損傷箇所に対する補修措置方針が入力手段から入力される。処理手段は、入力手段から入力された補修措置方針を取得する。
【００１４】
上記点検補修支援装置は、前記点検補修データに関連付けて過去に実施された補修措置の実績データが格納されている第４記憶手段と、前記補修措置の実績データに基づいて、前記第３記憶手段に格納されている補修基準データを修正する修正手段とを具備することとしてもよい。
【００１５】
このような構成によれば、第４記憶手段には点検補修データに関連付けられた補修措置の実績データが格納されている。第３記憶手段に格納されている補修基準データは、修正手段によって、第４記憶手段に格納されている補修措置の実績データに基づいて補正されるので、第３記憶手段に格納されている補修基準データに、補修措置の実績データを反映させることができ、補修基準データをより適切なデータに更新することが可能となる。
【００１６】
上記点検補修支援装置は、前記第４記憶手段に格納されている補修措置の実績データを表示する表示手段を備えることとしてもよい。
【００１７】
このような構成によれば、第４記憶手段に格納されている補修措置の実績データが表示手段に表示されるので、ユーザは補修措置に関する過去の履歴を閲覧することが可能となる。
【００１８】
上記点検補修支援装置は、前記修正手段による修正前後の補修基準データを関連付けて表示する表示手段を備え、前記入力手段から前記表示手段に表示された修正後の補修基準データの修正情報が入力された場合に、入力された修正情報に基づいて前記補修基準データを修正することとしてもよい。
【００１９】
このような構成によれば、修正手段によって第３記憶手段に格納されている補修基準データが修正される場合において、表示手段には修正前後の補修基準データが関連付けられて表示される。この補修基準データを確認したユーザにより、修正後の基準データを修正するための修正情報が入力されると、入力された修正情報に基づいて補修基準データが修正され、ユーザによって修正された補修基準データが第３記憶手段に格納されることとなる。
【００２０】
上記点検補修支援装置は、前記第１表示情報を受信した前記クライアント端末から補修の承認情報を受信する受信手段と、前記補修の承認情報を受信した場合に、その旨を表示する表示手段を備えることとしてもよい。
【００２１】
このような構成によれば、第１表示情報は通信手段からクライアント端末に送信され、この第１表示情報を確認したクライアントから補修の承認情報を受信手段が受信した場合に、表示手段にはその旨が表示される。これにより、クライアントにより補修が承認されたことを速やかに確認することが可能となる。このように、損傷箇所における補修の承認処理が速やかに進められることにより、点検補修側がクライアントから点検対象部品を受け取ってから返却するまでのリードタイムを短縮させることができる。
【００２２】
本発明は、点検で検出された点検対象部品の損傷箇所の補修の承認を、クライアント端末を利用するクライアントから得るために用いられる点検補修支援方法であって、前記点検で検出された点検対象部品における損傷箇所の位置情報および損傷に関する情報ならびに識別情報が関連付けられた点検補修データを記憶する過程と、識別情報が入力された場合に、該識別情報に対応付けられた前記点検補修データを表示する過程と、表示された各前記損傷箇所に対応する補修措置方針を取得する過程と、前記損傷箇所と該損傷箇所に対応する補修措置方針とを関連付けて表示する過程と、表示した情報に対して送信指示が入力された場合に、補修の承認を得るために、前記損傷箇所と前記補修措置方針とを対応付けた情報を前記クライアント端末に送信する過程とを含む点検補修支援方法を提供する。
【００２３】
本発明によれば、点検対象部品における損傷箇所の位置情報および損傷に関する情報が入力された場合に、入力された損傷箇所の位置情報および損傷に関する情報が表示される。表示された各損傷箇所に対する補修措置方針が取得されると、損傷箇所と損傷箇所に対応する補修措置方針とが関連付けられて表示され、更に、表示された情報に対して送信指示が入力されると、損傷箇所と補修措置方針とが対応付けられた情報が送信される。
【発明の効果】
【００２４】
本発明によれば、点検対象部品の点検補修に関する情報をクライアント側に速やかに提示することができるという効果を奏する。
【図面の簡単な説明】
【００２５】
【図１】本発明の第１実施形態に係る点検補修支援装置のネットワーク構成を示した図である。
【図２】本発明の第１実施形態に係る点検補修支援装置のハードウェア構成を示した図である。
【図３】本発明の第１実施形態に係る点検補修支援装置が備える機能を展開して示した機能ブロック図である。
【図４】点検補修データの一例を示した図である。
【図５】補修基準データの一例を示した図である。
【図６】補修基準データについて説明するために使用される図である。
【図７】第１表示情報の一例を示した図である。
【図８】本発明の第２実施形態に係る点検補修支援装置が備える機能を展開して示した機能ブロック図である。
【発明を実施するための形態】
【００２６】
以下に、本発明に係る点検補修支援装置をガスタービンの動翼の点検補修に適用した場合の実施形態について、図面を参照して説明する。なお、本発明の点検補修支援装置の適用分野は、ガスタービンの分野に限られることなく、継続的な点検補修が必要とされる部品の点検補修に広く適用されるものである。
【００２７】
〔第１実施形態〕
図１は、本発明の第１実施形態に係る点検補修支援装置のネットワーク構成を示した図、図２は本実施形態に係る点検補修支援装置のハードウェア構成を示した図である。
図１に示すように、点検補修支援装置１は、ガスタービンを所有している客先に設けられたクライアント端末２とインターネットなどの通信媒体を介して接続されている。図１では、説明の便宜上、クライアント端末２を１台としたが、クライアント端末２の台数は限定されない。また、以下の説明に当たり、点検補修支援装置１の操作者を「ユーザ」、クライアント端末２の操作者を「クライアント」という。
【００２８】
点検補修支援装置１およびクライアント端末２は、図２に示すように、例えば、計算機システムであり、ＣＰＵ（中央演算処理装置）１１、ＲＡＭ（Random Access Memory）等の主記憶装置１２、補助記憶装置１３、キーボード、マウス、ポインティングデバイスなどの入力装置１４、及びディスプレイやプリンタなどの出力装置１５、外部の機器と通信を行うことにより情報の授受を行う通信装置１６などを備えている。
補助記憶装置１３は、コンピュータ読取可能な記録媒体であり、例えば、磁気ディスク、光磁気ディスク、ＣＤ−ＲＯＭ、ＤＶＤ−ＲＯＭ、半導体メモリ等である。この補助記憶装置１３には、各種プログラムが格納されており、ＣＰＵ１１が補助記憶装置１３から主記憶装置１２にプログラムを読み出し、実行することにより種々の処理を実現させる。
【００２９】
図３は、点検補修支援装置１が備える機能を展開して示した機能ブロック図である。図３に示されるように、点検補修支援装置１は、第１記憶部（第１記憶手段）２０、第２記憶部（第２記憶手段）２２、第３記憶部（第３記憶手段）２４、第４記憶部（第４記憶手段）２６、処理部（処理手段）２８、表示情報作成部（表示情報作成手段）３０、表示部３２、通信部（送信手段、受信手段）３４、入力部（入力手段）３６を主な構成として備えている。
【００３０】
第１記憶部２０には、点検対象部品である動翼における損傷箇所の位置情報、損傷に関する情報、および点検日時が関連付けられた点検補修データが格納されている。各点検補修データには、個別の識別情報が付与されており、その識別情報を指定することで該当する点検補修データが読み出される構成とされている。
上記損傷に関する情報とは、例えば、損傷の種類、長さ、幅、深さ、形状、点検時において点検員が損傷箇所の詳細や補足説明について入力した音声データ、画像データなどが挙げられる。損傷の種類としては、例えば、き裂、欠損、はがれ、へこみなどが挙げられる。
図４は点検補修データの一例を示した図である。図４に示した点検補修データは、識別情報「００００１２３９４３０」が付与されており、２０１１年４月１日に実施された点検において検出された損傷箇所の情報が記載されている。
【００３１】
点検補修データは、例えば、点検対象部品の点検者が作成した紙ベースの点検報告書に記載された情報を入力部３６から入力することで作成される。また、損傷箇所の位置情報については、例えば、後述する第２記憶部２２に格納されている点検対象部品のモデルを表示部３２に表示させ、表示されたモデルにおいて、損傷が確認された位置をマウスなどの入力部３６を操作して指定することで入力される。例えば、損傷位置の入力に関し、上述した特許文献１（特開２００９−１０８８４９号公報）などに記載されている公知の技術を用いることができる。点検補修データの入力方法については、特に限定されない。
【００３２】
第２記憶部２２には、点検対象部品である動翼のモデルが格納されている。このモデルは、２次元、３次元を問わず、また、写真、ＣＡＤデータなどであってもよい。第２記憶部２２に格納されるモデルは、点検対象部品における損傷箇所の位置をユーザに分かりやすく伝えるために用いられる。このようにすることで、損傷箇所をユーザに容易に理解させることが可能となる。
【００３３】
第３記憶部２４には、損傷箇所の位置情報と損傷に関する情報と補修措置方針とが関連付けられた補修基準データが格納されている。損傷に関する情報としては、例えば、損傷の種類、損傷の大きさ（長さ、幅、深さ）が挙げられる。
図５は、補修基準データの一例を示した図である。図５には、図６に示すように、背側前縁部、背側翼面中央部、背側後縁部などの部位をそれぞれプラットホームからの距離に応じて複数の領域に分け、領域毎に、損傷の種類、損傷の大きさ（長さ、幅、深さ）に応じた補修措置方針がそれぞれ設定されている。図５では、チップ、背側前縁部、背側翼面中央部、背側後縁部、腹側前縁部、腹側翼面中央部、腹側後縁部からなる各部位をＡからＧの７つの領域に分け、領域毎に補修措置方針が登録されている。このようなデータが、損傷種類、損傷の大きさに応じて複数用意され、第３記憶部２４に格納されている。
【００３４】
また、補修基準データは、クライアントの運用条件や環境要因を考慮して作成されていることが好ましい。運用条件の一例としては、ベースロードやＤＳＳ（Daily Start and Stop）などの負荷パターン、ガス、油などの燃料条件、長期運用計画などが挙げられる。運用条件、環境要因などにより、次の点検までに点検対象部品に加わるストレスが異なってくるので、このような運用条件や環境要因を考慮した補修基準データを作成することで、クライアント毎により適切な補修措置方針を提示することが可能となる。
【００３５】
第４記憶部２６は、第１記憶部２０に格納されている点検補修データの各損傷箇所に対する補修措置方針が、点検補修データの各損傷箇所に対応付けられて格納される。詳細は後述する。
【００３６】
処理部２８は、例えば、ユーザが入力部３６を操作することにより、点検対象部品の識別情報が指定された場合に、該当する点検補修データを第１記憶部２０から読み出し、更に、読み出した点検補修データに記載されている各損傷箇所に対する補修措置方針を第３記憶部２４から取得する。すなわち、点検補修データには、損傷箇所毎にその位置情報、損傷の大きさ、形状、損傷種類などが登録されているので、これらの情報に対応する補修措置方針を第３記憶部２４に格納されている補修基準データから取得する。処理部２８は、第１記憶部２０から読み出した点検補修データと該点検補修データに記載されている各損傷箇所における補修措置方針を対応付けて表示情報作成部３０に出力するとともに、点検補修データの各損傷箇所に関連付けられた補修措置方針を第４記憶部２６に格納する。これにより、以降の処理では、点検補修データが指定されれば、その点検補修データの各損傷箇所に対応する補修措置方針を第４記憶部２６から取得することが可能となる。
【００３７】
表示情報作成部３０は、処理部２８から入力された点検補修データと各損傷箇所の補修措置方針とに基づいて第１表示情報を作成する。具体的には、表示情報作成部３０は、入力された点検補修データに対応する点検対象部品のモデルを第２記憶部２２から読み出し、読み出した点検対象部品のモデル上に、点検補修データに記述されている各損傷箇所を表示した損傷視覚化モデルを作成する。更に、各損傷箇所と補修措置方針を関連付けて表示する。図７は、第１表示情報の一例を示した図である。図７に示すように、点検対象部品のモデル上に損傷箇所が表示され、その補修措置方針が損傷箇所と関連付けられて表示されている。
【００３８】
これにより、点検対象部品のどの位置に損傷があり、その損傷の補修をどのように行うかをクライアントに分かりやすく伝えることができる。表示情報作成部３０は、第１表示情報を表示部３２に表示させる。なお、第１表示情報として表示させる情報は、点検補修データに登録されている情報の中から任意に選択することが可能である。例えば、図７に示されている例に加えて、各損傷箇所の大きさ、損傷種類に関する情報を追加してもよく、更に、点検者による音声データが再生されたり、画像データが表示されたりするような構成としてもよい。損傷箇所の大きさや損傷種類に関する情報などの詳細情報を付加することで、損傷箇所についての詳細な情報をクライアントに通知することができ、損傷箇所についての理解を助けることが可能となる。
【００３９】
表示部３２は、表示情報作成部３０によって作成された第１表示情報などを表示する。
通信部３４は、表示情報作成部３０によって作成された第１表示情報などをクライアント端末に送信する。
入力部３６は、点検補修支援装置１のユーザが情報を入力するのに使用される。
【００４０】
次に、上述した点検補修支援装置１の動作について説明する。
例えば、ユーザは、点検対象部品の損傷箇所の補修の実施に際して、補修に対するクライアントの承認を得たい場合、対象となる点検補修データの識別情報を入力部３６から入力し、更に表示作成指示を行う。
処理部２８は、入力部３６から入力された点検補修データの識別情報および表示作成指示を受け付けると、入力された識別情報の点検補修データを第１記憶部２０から取得し、更に、取得した点検補修データの各損傷箇所に対応する補修措置方針を第３記憶部２４から抽出する。処理部２８は、取得したこれらの情報を表示情報作成部３０に出力するとともに、点検補修データの各損傷箇所と補修措置方針とを関連付けて第４記憶部２６に格納する。
【００４１】
具体的には、点検補修データには、損傷箇所の位置情報、損傷種類、損傷の大きさが含まれているので、処理部２８は、これらの情報に対応する補修措置方針を第３記憶部２４に格納されている補修基準データから読み出し、読み出した補修措置方針と各損傷箇所とを対応付け、これらの情報を表示情報作成部３０に出力するとともに、第４記憶部２６に格納する。
【００４２】
表示情報作成部３０は、処理部２８から入力された情報および第２記憶部２２に格納されている当該点検対象部品のモデルを用いて第１表示情報を作成し、作成した第１表示情報を表示部３２に表示する。
これにより、表示部３２には、図７に示したような表示画面が表示される。この表示画面を確認したユーザは、表示事項に修正などがあった場合には、修正を指示する情報を入力部３６から入力する。例えば、補修措置方針などが相違していた場合には、これを修正する情報を入力部３６から入力する。また、このとき補修が必要でない損傷箇所については、補修不要である旨の情報を入力部３６から入力し、補修不要の旨を表示させるようにしてもよい。
入力部３６から入力された情報は処理部２８に受け付けられ、この修正情報に基づいて該当するデータが更新される。
【００４３】
ユーザは表示部３２に表示されている第１表示情報を確認し、問題がなければ、送信操作を行う。これにより、送信指示が入力部３６から入力され、この入力指示を受けて、通信部３４が当該第１表示情報をクライアント端末２に送信する。
【００４４】
この結果、クライアント端末２が備えるディスプレイなどの出力装置１５（図２参照）に第１表示情報が表示される。これにより、点検補修結果がクライアント側へ速やかに通知される。クライアントは、表示された各損傷箇所の補修措置方針に問題がなければ、承認処理を入力装置１４（図２参照）から行う。これにより、承認情報がクライアント端末２から点検補修支援装置１に送信される。承認情報は点検補修支援装置１の通信部３４により受信され、表示部３２に表示される。これにより、ユーザに対して、クライアントに問い合わせた損傷箇所における補修実施の承認が得られたことが通知される。
ここで、本実施形態では、ユーザが入力部３６より第１表示情報の送信指示を行い、クライアントが承認処理を行うとしたが、これに加えて、クライアントがクライアント端末２から自身の点検対象部品に関する点検補修結果などの表示要求を点検補修支援装置１に送信し、これにより、点検補修支援装置１が対応する点検補修結果や承認処理に関する情報をクライアント端末２に送信することで、承認処理を行うこととしてもよい。
【００４５】
本実施形態に係る点検補修支援装置１によれば以下の効果が得られる。
点検対象部品の損傷箇所と損傷箇所に対する補修措置方針とを関連付けて表示した第１表示情報をクライアント端末２に送信するので、クライアントに対して損傷箇所およびその補修措置方針を速やかに通知することが可能となる。これにより、クライアントから補修実施の承認を早期に取得することが可能となり、点検対象部品をクライアントから受け取ってからクライアントに返却するまでのリードタイムを短縮させることが可能となる。
点検対象部品のモデル上に損傷箇所を表示するので、クライアントに損傷箇所の情報を分かりやすく提示することが可能となる。
損傷箇所の位置情報と損傷に関する情報と補修措置方針とが関連付けられた補修基準データが格納されている第３記憶部２４を有し、点検補修データの損傷箇所に対応する補修措置方針を第３記憶部２４の補修基準データから取得するので、補修措置方針を容易にかつ速やかに取得することが可能となる。これにより、各損傷箇所に対する補修措置方針をユーザが入力する手間を省くことができる。
【００４６】
なお、本実施形態では、第３記憶部２４に補修基準データを格納しておき、この補修基準データから各損傷箇所に対応する補修措置方針を取得することとしたが、例えば、第３記憶部２４を設けずに、ユーザが入力部３６から補修措置方針を入力することとしてもよい。また、補修措置方針の一覧が表示されるような構成としておき、ユーザが表示された一覧の中から適切な補修措置方針を選択することにより、各損傷箇所に対応する補修措置方針を入力することとしてもよい。
【００４７】
また、本実施形態では、点検補修データに登録されている損傷箇所のそれぞれについて補修措置方針を取得することとしたが、例えば、点検補修データに登録されている損傷箇所において補修が必要な損傷箇所と補修が不要な損傷箇所とを判別し、補修が必要な損傷箇所についてのみ補修措置方針を取得することとしてもよい。この場合、補修が必要か否かは例えばユーザが決定することとしてもよいし、補修が必要な条件を予め登録しておき、この条件を満たす損傷箇所を補修が必要であると判定することとしてもよい。
【００４８】
〔第２実施形態〕
次に、本発明の第２実施形態に係る点検補修支援装置について説明する。
本実施形態に係る点検補修支援装置１’は、第１実施形態に係る点検補修支援装置１とほぼ構成を同じくするが、過去に実施された補修措置を補修実績データとして保存しておき、この補修実績データに基づいて第３記憶部２４に格納されている補修基準データを修正する構成を更に備える点で第１実施形態に係る点検補修支援装置１と異なる。
以下、本実施形態に係る点検補修支援装置１’について、第１実施形態に係る点検補修支援装置１と共通する点については説明を省略し、異なる点について主に説明する。
【００４９】
図８は、本実施形態に係る点検補修支援装置１’の機能ブロック図を示した図である。図８に示すように、点検補修支援装置１’は、修正部３８を備えている。また、第４記憶部２６’には、各損傷箇所および補修措置方針に対応付けて補修措置の実績データが格納されている。
【００５０】
修正部３８は、例えば、所定のタイミングで、第４記憶部２６’から互いに関連付けられている補修措置の実績データと補修措置方針とを照合し、補修措置方針と補修措置の実績データとが一致しているか否かを判定し、一致しないデータが存在した場合には、この判定結果に基づいて第３記憶部２４に格納されている補修基準データを修正する。
【００５１】
このように、補修措置の実績データに基づいて補修基準データを修正することで、補修基準データに補修実績データを反映させることができ、処理部２８によって自動的に取得される補修措置方針をより適切な措置にすることが可能となる。
【００５２】
なお、上記のように、修正部３８が自動的に補修基準データを更新する場合に代えて、例えば、修正部３８が修正を行う前に、これから修正を行う補修措置方針と今までの修正措置方針と損傷箇所の情報とを関連付けた情報を表示部３２に表示させ、修正の可否をユーザに問い合わせる構成としてもよい。この場合、ユーザから修正の許可が入力されなければ、修正を行わないこととする。また、これに代えて、補修措置方針と補修措置実績とが一致しないケースの一覧を表示部３２に表示させ、この表示情報に基づいて、ユーザが補修基準データの修正箇所と修正事項とを指示する構成としてもよい。
【００５３】
また、補修基準データの修正に関わらず、例えば、ユーザにより補修措置の実績データの表示指示が入力部３６から入力された場合に、第４記憶部２６から補修措置の実績データを読み出して表示部３２に表示させる構成としてもよい。この場合、ユーザは表示させる補修措置の実績データの範囲を指定できるものとする。このように、補修措置の実績データを表示させることで、ユーザは補修措置に関する過去の履歴を閲覧することが可能となる。例えば、補修を何度も行っている点検対象部品の場合、熱を加え過ぎていて加熱に関する補修はできないなど、履歴によっても補修措置が変わってくることがある。このような場合に、補修実績データを確認することで、好適な補修措置を取ることが可能となる。
【符号の説明】
【００５４】
１，１’  点検補修支援装置
２  クライアント端末
１１  ＣＰＵ
１２  主記憶装置
１３  補助記憶装置
１４  入力装置
１５  出力装置
１６  通信装置
２０  第１記憶部
２２  第２記憶部
２４  第３記憶部
２６，２６’  第４記憶部
２８  処理部
３０  表示情報作成部
３２  表示部
３４  通信部
３６  入力部
３８  修正部
【図１】
0005822555.tif 000002
【図２】
0005822555.tif 000003
【図３】
0005822555.tif 000004
【図４】
0005822555.tif 000005
【図５】
0005822555.tif 000006
【図６】
0005822555.tif 000007
【図７】
0005822555.tif 000008
【図８】
0005822555.tif 000009